(57)【特許請求の範囲】
【請求項１】
被撮影者を撮影する撮影手段と、
前記被撮影者による操作毎に、前記撮影手段に前記被撮影者の撮影を１回行わせる操作手段と、
前記撮影手段により撮影された画像を撮影毎には表示せず、前記撮影手段による所定の複数回の撮影が終了した後に、前記撮影手段で撮影された画像を一度に表示する表示手段と、
該表示手段に表示された前記画像から任意の画像を選択する選択手段と、
該選択手段で選択された前記画像を記憶する記憶手段と、
該記憶手段に記憶された前記画像を出力する画像出力手段と、
を有することを特徴とする撮影装置。
【請求項２】
前記選択手段は、被撮影者が人為的に操作することで選択を行なう手段であって、前記被撮影者が前記表示手段に表示された前記画像の中から任意の画像を選択することを特徴とする請求項１に記載の撮影装置。
【請求項３】
被撮影者による操作手段の操作毎に、撮影手段が前記被撮影者を１回撮影し、
前記撮影手段により撮影された画像を撮影毎には表示手段に表示せず、前記撮影手段による所定の複数回の撮影が終了した後に、前記撮影手段で撮影された画像を一度に前記表示手段に表示し、
該表示手段に表示された前記画像から任意の画像を選択手段により選択し、
該選択された前記画像を記憶手段により記憶し、
該記憶された前記画像を出力手段により出力することで画像を得ることを特徴とする画像の取得方法。
【請求項４】
前記選択手段は、被撮影者が人為的に操作することで選択を行なう手段であって、前記被撮影者が前記表示手段に表示された前記画像の中から任意の画像を選択することを特徴とする請求項３に記載の画像の取得方法。
【請求項５】
前記表示手段に表示された前記画像の中に、前記選択手段で選択する画像がない場合、再度撮影手段により撮影をやり直すことを特徴とする請求項３に記載の画像の取得方法。
【発明の詳細な説明】
【０００１】
【発明の属する技術分野】
本発明は、人物及び顔写真用の撮影装置及び撮影された画像の取得方法に関する。
【０００２】
【従来の技術】
近年、街頭などには、俗に「プリクラ」と称されて、自分もしくはグループで撮影してそのプリント画像を販売する人物写真自動販売機及び証明書用のサイズで撮影してそのプリント画像を販売する、証明書用写真自動販売機が設置されており、何れも被撮影者は撮影後に数分間待つことによって簡単に人物画像写真や証明書用写真を得ることができる様になっている。
【０００３】
これらの、人物、証明書用の顔像を撮影する手段として、銀塩フィルムやデジタルカメラを用いて撮影し、現像、焼き付けを行ったり、プリンタに出力して画像を提供する撮影装置が一般に利用されている。
【０００４】
従来の撮影装置は１人で簡単に撮影できるが、自動的に撮影が行われるために、撮影の瞬間に例えば、目線が正面を向いていなかったり、まばたきをしたり、動いたり等をしてしまっても気づかず、出来上がった画像を見てはじめて、証明書に使用するには不適切なものとなってしまったり、自分の意にそぐわない画像になってしまうことがある。このような場合、被撮影者は再度料金を支払い、撮り直しをしなければならないという問題があった。
【０００５】
特に、撮影した顔画像を証明書用に使用する場合、目線が正面を向いていることが重要で、且つ、自分の意に沿った画像であることが必要である。
【０００６】
特開平７−２７１９５１号には、被撮影者を複数回撮影し、記憶手段に記憶した複数の画像を順次表示し、被撮影者が順次表示される画像の中から好みの画像を選択することで、自分の意にそぐわない画像を受け取ることを防止する技術が開示されている。この場合、画像が順次表示されるため、比較して好みの画像を選択し難く、選択に時間がかかる。
【０００７】
特開２０００−２８４３５６には、撮影装置の前にマジックミラーを設け、モニタに表示された撮影画像をこのマジックミラーに表示し、好みの画像を選択できる様にすることで、撮影時に被撮影者の目線を撮影装置に向ける様にした技術が開示されている。この場合、撮影装置側に撮影された画像が表示されるが、表示される画像が被撮影者の目線の位置にないため、被撮影者の目線は表示された画像に向いたり、撮影装置を向いたりと安定しないため、目線が正面を向いた画像が得にくい。又、撮影装置の光路上にマジックミラーの如き反射面を配置することで光が散乱し、撮影し得られる画像の品質低下を招く原因になることもある。撮影時にマジックミラーを光路から外すことも可能であるが駆動部が複雑になり撮影装置が高くなってしまう。又、マジックミラーの表面が汚れた場合も、撮影し得られる画像の品質低下を招く原因になることもある。
【０００８】
これらの状況から、撮影する画像の劣化が生じ難く、目線が正面を向いた好みの画像を短時間で得ることができる撮影装置及び画像の取得方法の開発が望まれている。
【０００９】
【発明が解決しようとする課題】
本発明の目的は、上記状況に鑑みなされたもので、その目的は、撮影し得られる画像の品質低下がなく、目線が正面を向いた好みの画像を短時間で得ることができる撮影装置及び画像の取得方法を提供することにある。
【００１０】
【課題を解決するための手段】
本発明の上記目的は、以下の構成により達成された。
【００１１】
１）  被撮影者を撮影する撮影手段と、前記被撮影者による操作毎に、前記撮影手段に前記被撮影者の撮影を１回行わせる操作手段と、前記撮影手段により撮影された画像を撮影毎には表示せず、前記撮影手段による所定の複数回の撮影が終了した後に、前記撮影手段で撮影された画像を一度に表示する表示手段と、該表示手段に表示された前記画像から任意の画像を選択する選択手段と、該選択手段で選択された前記画像を記憶する記憶手段と、該記憶手段に記憶された前記画像を出力する画像出力手段と、を有することを特徴とする撮影装置。
【００１２】
２）前記選択手段は、被撮影者が人為的に操作することで選択を行なう手段であって、前記被撮影者が前記表示手段に表示された前記画像の中から任意の画像を選択することを特徴とする１）に記載の撮影装置。
【００１３】
３）  被撮影者による操作手段の操作毎に、撮影手段が前記被撮影者を１回撮影し、前記撮影手段により撮影された画像を撮影毎には表示手段に表示せず、前記撮影手段による所定の複数回の撮影が終了した後に、前記撮影手段で撮影された画像を一度に前記表示手段に表示し、該表示手段に表示された前記画像から任意の画像を選択手段により選択し、該選択された前記画像を記憶手段により記憶し、該記憶された前記画像を出力手段により出力することで画像を得ることを特徴とする画像の取得方法。
【００１４】
４）前記選択手段は、被撮影者が人為的に操作することで選択を行なう手段であって、前記被撮影者が前記表示手段に表示された前記画像の中から任意の画像を選択することを特徴とする３）に記載の画像の取得方法。
【００１５】
５）前記表示手段に表示された前記画像の中に、前記選択手段で選択する画像がない場合、再度撮影手段により撮影をやり直すことを特徴とする３）に記載の画像の取得方法。
【００１６】
【発明の実施の形態】
以下、図１から図４を参照しながら、本発明の実施形態に係る撮影装置、画像の取得方法について説明する。
【００１７】
本発明の撮影装置とは、撮影中、被撮影者の目線が正面を向き易くするため、撮影した画像を、全ての撮影が終了した時点で撮影された画像を一度に表示する方式の撮影装置をいう。表示する画像は撮影された画像の内、撮影装置の機械的トラブルで生じた、例えばブレた画像、照明が悪い画像、色バランスが悪い画像等を削除して、実質的に使用できる画像を表示しても良いし、撮影した画像を全て表示してもかまわない。一度に表示するとは、表示手段に撮影された複数の画像を表示するのに要する時間を含み、表示手段に一回で表示することをいう。
【００１８】
図１は被撮影者が撮影装置を操作して撮影する状態の一例を示す模式図である。
【００１９】
撮影装置１は、撮影手段１０１と、照明手段１０２と、撮影した画像を表示する表示手段１０３と、画像出力手段１０４とを有している。２は被撮影者を示し、３は被撮影者２が着座する椅子を示し、１０５は表示手段１０３に表示された画像の中から好みの画像を選択するための選択手段を示し、１０６は撮影装置１の操作手段を示す。尚、選択手段１０５と操作手段１０６は、統合してもかまわない。
【００２０】
通常、撮影装置１は、撮影手段１０１と被撮影者２の顔に直接外光が当たらないように周囲を遮光した、１〜５人が入れる位の狭い場所（不図示）に設置されている。
【００２１】
撮影は、被撮影者２が撮影装置１の前に置かれている椅子３に座り、目線を撮影手段１０１に向け、手元の操作手段１０６を操作することで行うことができる。撮影が全て終了した後に、被撮影者２が操作手段１０６を操作することで、表示手段１０３には、撮影された画像が一度に表示される。被撮影者２は選択手段１０５を操作することで表示手段１０３に表示された複数の画像の中から好みの画像を選択し、画像出力手段１０４からプリントされた画像を得られる様になっている。選択する画像の数は一つでも良いし、複数でもかまわない。
【００２２】
撮影手段１０１としては、デジタルビデオカメラ、デジタルスチルカメラ等が使用され、照明手段１０２にはストロボ、ハロゲンランプ、蛍光灯等が使用され、表示手段１０３には液晶モニタやＣＲＴモニタ等が使用される。選択手段１０５としてはキーボード、マウス、タッチペン等が使用される。
【００２３】
尚、撮影回数は、予め設定しておいても良いし、被撮影者が自由に決める様にしても良い。
【００２４】
画像出力手段１０４としては、撮影された画像のデジタル画像情報から出力可能な手段ならば特に限定は無く、例えばインクジェットプリンタ、熱転写型プリンタ、昇華型プリンタ等が挙げられる。画像出力手段１０４からは、被撮影者２の要求に従い画像の大きさを変えての出力も可能である。
【００２５】
本発明の撮影装置１は、撮影した被撮影者の画像を出力する場合に、撮影毎に表示手段１０３に表示せず、全ての撮影が終了した時点で撮影した画像を一度に表示し、表示された複数の画像の中から、被撮影者が好みの画像を選択する方式を採用している。
【００２６】
撮影の度毎に画像が表示手段１０３に表示されると、表示された画像に被撮影者の目線が向けられ、撮影手段から目線が外れ易くなり、次の撮影時には目線が正面を向いていない状態での撮影が行われ、自分の意にそぐわない画像となる危険が大きくなり、撮り直しをすることになる場合もある。
【００２７】
本発明の方式では、撮影毎に表示手段１０３に画像を表示しないため、被撮影者は撮影に集中することができる。このため、撮影中の被撮影者の目線は常に撮影手段に向けられているため、目線が外れた撮影を無くすことができる。又、撮影した他の画像と同時に比較しながら選択出来る様にしたことで、好みの画像の選択が容易にしかも短時間に行えるようになり、撮り直しを無くし、被撮影者に再撮影に要する無駄な時間と撮影費用の負担を無くしたものである。又、選択が短時間で行われ、撮り直しがなくなることで、撮影装置１の稼働率を上げられる。
【００２８】
本発明で撮影され、画像出力手段１０４より出力された画像は、記念写真の他にキャッシュカード、従業員証、社員証、会員証、学生証、身分証明書、パスポート、外国人登録証及び運転免許証等にも勿論使用されるものである。特に、本発明で得られる画像は目線が正面を向いているので証明書用には最適である。
【００２９】
本図では表示手段１０３と、画像出力手段１０４が撮影装置１に組み込まれた状態になっているが、別置きであってもかまわない。
【００３０】
図２は本発明に係る実施形態としての撮影装置１を構成している各部材の関連の一例を示すブロック図である。
【００３１】
撮影手段１０１の前には椅子３が置かれ、被撮影者２が着座して撮影が行われる様になっている。撮影手段１０１による撮影は間欠撮影が行われ、被撮影者２は着座した状態で撮影装置１を操作することで撮影が行われる。
【００３２】
撮影手段１０１には、記憶手段１０８を有する中央演算装置などの制御手段１０７が接続されている。制御手段１０７には、照明手段１０２、表示手段１０３、選択手段１０５、操作手段１０６、画像出力手段１０４が接続されている。
【００３３】
本図の場合、選択手段１０５と操作手段１０６は被撮影者２が操作する様になっている。
【００３４】
被撮影者２が操作手段１０６を操作することで撮影手段１０１による撮影が行われる。照明手段１０２は撮影手段１０１の撮影と連動して作動するようになっている。撮影された画像は制御手段１０７を介して一旦記憶手段１０８に記憶される。全ての撮影が終了した時点で、被撮影者２が操作手段１０６を操作することで表示手段１０３に撮影された画像が一度に表示される。被撮影者２が選択手段１０５を操作することで表示手段１０３に表示された複数の画像の中から好みの画像を選択することができる。
【００３５】
選択された画像は被撮影者２が操作手段１０６を操作することで制御手段１０７を介して記憶手段１０８に記憶され、選択されなかった画像情報は記憶手段１０８から削除され、選択された画像情報のみが記憶手段１０８に記憶される。被撮影者２が操作手段１０６を操作することで、選択された画像を画像出力手段１０４から出力することができる。
【００３６】
本図では一台の表示手段１０３と一台の画像出力手段１０４が制御手段を介して撮影装置内に組み込まれているが、これら表示手段１０３と画像出力手段１０４は一台でなく複数台を、制御手段１０７と接続し、撮影装置の外に出し設置してもかまわない。
【００３７】
図３は全ての撮影が終了した後、撮影した画像を表示手段１０３に一度に表示する時の表示形式の一例を示す概略図である。図３の（ａ）は画像の選択をし易くするため大型画像とし、各画像に符号を付け、画像を指定出来るようにして表示した場合の概略図である。図３の（ｂ）は行と列で画像を指定出来るように表示した場合の概略図である。図３の（ｃ）は各画像に符号を付け、画像を指定出来るようにして表示した場合の概略図である。
【００３８】
図３の（ａ）〜（ｃ）の表示形式は撮影回数の設定、使用する表示手段１０３の大きさ、撮影目的等から適宜選択し使用することが可能である。本図では証明書に使用する１人の場合を例として挙げてあるが、勿論４〜５人の集合写真も可能である。
【００３９】
被撮影者２は表示手段１０３に表示された複数の画像から、好みの画像を選択するとき、選択手段１０５を操作し、各画像に付いている符号を入力することで画像を指定することができる。例えば図３の（ａ）の場合は「Ｂ」を、図３の（ｂ）の場合は、「Ｂ−２」、「Ｃ−２」を、図３の（ｃ）の場合は、「５」、「６」を選択手段１０５から入力することで画像を選択することが出来る。
【００４０】
図４は撮影から画像取得までの一例を示すフロー図である。
被撮影者２は椅子３に着座し、撮影手段１０１に目線を向け、撮影が始まる。
【００４１】
ステップＡ１で、被撮影者２が操作手段１０６を操作することで、撮影手段１０１により被撮影者２の画像が撮影される。撮影回数は被撮影者２が設定することもできるし、予め撮影装置１で設定することもできる。撮影は、被撮影者２が好みの表情、ポーズを取ることができる間欠撮影で行われる。
【００４２】
ステップＡ２で、撮影された複数の画像は被撮影者２が操作手段１０６を操作することで制御手段１０７を介して記憶手段１０８に記憶される。
【００４３】
ステップＡ３で、設定した撮影回数が終了した段階で撮影は終了する。
ステップＡ４で、被撮影者２が操作手段１０６を操作することで、記憶手段１０８に記憶されている撮影された画像が一度に表示手段１０３に表示される。
【００４４】
ステップＡ５で、被撮影者２は、表示された複数の画像の中より、自分の好みにあった画像を選択する。
【００４５】
ステップＡ６で、選択した画像を指定するため、被撮影者２は選択手段１０５を操作し、表示手段１０３に表示された画像の位置を入力することで記憶手段１０８に記憶される。
【００４６】
ステップＡ７で、記憶手段１０８に記憶されている被撮影者２が選択した画像は、被撮影者２が操作手段１０６を操作することで画像出力手段１０４より出力され、被撮影者は自分の画像を入手することが出来る。画像を出力する際、好みの大きさに設定し出力することも可能である。
【００４７】
本発明の図１〜図４では、撮影装置１のオペレータがいない場合を示しているが、勿論オペレータがいて、撮影手段１０１、表示手段１０３、画像出力手段１０４の操作を行う様にしてもかまわない。但し、この場合でも表示された画像の中から好みの画像の選択は被撮影者２が行う。
【００４８】
本発明は図１〜図４に示す如く、撮影装置により撮影するとき、撮影の度毎に画像が表示手段１０３に表示されると、表示された画像に被撮影者の目線が向けられ、撮影手段１０１から目線が外れ易くなる。これらを防止するため、全ての撮影が終了した時点で表示手段１０３に撮影した画像を一度に表示することで、撮影時の被撮影者２の目線を正面に向けさせることができ、且つ撮影された画像が一度に表示されているため好みの画像の選択も容易になった。
【００４９】
これらにより、従来発生していた、自分の意にそぐわない画像に対して料金を支払ったり、撮り直しのため、被撮影者に再撮影に要する無駄な時間と撮影費用の負担が無くなった。
【００５０】
【発明の効果】
撮影し得られる画像の品質低下がなく、目線が正面を向いた好みの画像を短時間で得ることができる撮影装置及び画像の取得方法を提供することができ、撮り直しによる無駄な時間を必要としなくなり、撮り直しに伴い発生していた費用が掛からなくなり被撮影者への負担が減った。又、好みの画像の選択が短時間で行われ、撮り直しがなくなったので撮影装置の稼働率が上がった。
【図面の簡単な説明】
【図１】被撮影者が撮影装置を操作して撮影する状態の一例を示す模式図である。
【図２】本発明に係る実施形態としての撮影装置を構成している各部材の関連の一例を示すブロック図である。
【図３】全ての撮影が終了した後、撮影した画像を表示手段に一度に表示する時の表示形式の一例を示す概略図である。
【図４】撮影から画像取得までの一例を示すフロー図である。
【符号の説明】
１  撮影装置
１０１  撮影手段
１０２  照明手段
１０３  表示手段
１０４  画像出力手段
１０５  選択手段
１０６  操作手段
１０７  制御手段
１０８  記憶手段
２  被撮影者
３  椅子
【図１】
0004731750.tif 000002
【図２】
0004731750.tif 000003
【図３】
0004731750.tif 000004
【図４】
0004731750.tif 000005